(57)【特許請求の範囲】
【請求項１】
一縁部に端子部が設けられた矩形板状の表示パネル装置を基板の前面側に配置されたケースに固定する構造であって、
前記ケースの前面に設けられた、前記表示パネル装置がその前面を露出して収容される、収容部と、
前記収容部に収容された前記表示パネル装置の後面を当該後面に垂直な方向に押圧する後面押圧部と、
前記表示パネル装置が前記収容部に収容された後に、前記表示パネル装置の前面に当接するようにして前記ケースに係止する前面押さえ部材と、を有している
ことを特徴とする表示パネル装置の固定構造。
【請求項２】
前記前面押さえ部材が、折り曲げ可能な連結部材を介して前記ケースに連結されていることを特徴とする請求項１に記載の表示パネル装置の固定構造。
【請求項３】
前記ケースが、前記収容部に隣接して前記ケースの前面から後方に向けて延在して設けられた角柱状の係止受部を有し、
前記前面押さえ部材が、
帯板状の基部と、該基部の両端部から立設された一対の腕部と、該一対の腕部の先端部分に互いに向き合うように内側に突設された一対の爪部と、を有する、前記係止受部を前記ケースの前面側から抱え込むようにして該係止受部に係止する、係止部と、
前記基部における前記一対の腕部間の縁部から前記基部に平行に延在して設けられた、前記表示パネル装置の前面に当接する、押さえ片部と、を有している、
ことを特徴とする請求項１又は２に記載の表示パネル装置の固定構造。
【請求項４】
前記係止部の前記基部には、前記一対の爪部と対向する箇所に一対の貫通孔が設けられていることを特徴とする請求項３に記載の表示パネル装置の固定構造。
【発明の詳細な説明】
【技術分野】
【０００１】
本発明は、自動車などの車両に取りつけられる液晶ディスプレイ装置や有機ＥＬディスプレイ装置などの表示パネル装置の固定構造に関するものである。
【背景技術】
【０００２】
自動車などの車両には、例えば、走行距離などの各種情報を表示するための液晶ディスプレイ装置（以下、ＬＣＤという）などの表示パネル装置が搭載されている。このような表示パネル装置は、自動車の走行やエンジン駆動等の振動によってガタツキが発生しやすい環境におかれている。そして、本出願人は、このようなガタツキを防止する技術を特許文献１において開示している。
【０００３】
特許文献１に示されるコンビネーションメータ９１０は、図４に示すように、ケース９１と、ケース９１に設けられたＬＣＤ収容部９１１に収容される拡散板９２と、拡散板９２に重ねられてＬＣＤ収容部９１１に収容される矩形板状のＬＣＤ９３と、を備えている。
【０００４】
拡散板９２には、ＬＣＤ９３の一側面９３Ｋ２をそれに垂直な方向（Ｘ方向）に押圧するＸ方向規制バネ部９２Ａと、ＬＣＤ９３の上記一側面９３Ｋ２と直交する他側面９３Ｋ１をそれに垂直な方向（Ｙ方向）に押圧するＹ方向規制バネ部９２Ｄと、ＬＣＤ９３の後面をそれに垂直な方向（Ｚ方向）に押圧するＺ方向規制バネ部９２Ｂ１〜９２Ｂ４と、が設けられている。
【０００５】
ＬＣＤ収容部９１１には、ＬＣＤ９３の上記一側面９３Ｋ２に対向する側面に当接するＸ方向規制凸部９１Ｈと、ＬＣＤ９３の上記他側面９３Ｋ１に対向する側面に当接するＹ方向規制凸部９１Ｊと、ＬＣＤ９３の上記後面に対向する前面に当接するＺ方向規制爪部９１Ｇ及びＺ方向規制突設部９１Ｆと、が設けられている。
【０００６】
そして、ＬＣＤ収容部９１１にＬＣＤ９３が収容されると、ＬＣＤ９３は、Ｘ方向規制バネ部９２ＡによってＸ方向規制凸部９１Ｈに押しつけられることでＸ方向の移動を規制され、Ｙ方向規制バネ部９２ＤによってＹ方向規制凸部９１Ｊに押しつけられることでＹ方向の移動を規制され、Ｚ方向規制バネ部９２Ｂ１〜９２Ｂ４によってＺ方向規制爪部９１Ｇ及びＺ方向規制突設部９１Ｆに押しつけられることでＺ方向の移動を規制され、これにより、ＬＣＤ収容部９１１内にガタツキなく固定することができた。
【先行技術文献】
【特許文献】
【０００７】
【特許文献１】特開２００７−７２０８３号公報
【発明の概要】
【発明が解決しようとする課題】
【０００８】
しかしながら、上述したコンビネーションメータ９１０では、ＬＣＤ９３をＬＣＤ収容部９１１内に収容するとき、まず、ＬＣＤ９３の上記他側面９３Ｋ１の隅部９３Ｆ１、９３Ｆ２を庇状に形成されたＺ方向規制突設部９１Ｆに潜り込ませ、次に、上記他側面９３Ｋ１を支点として、上記他側面９３Ｋ１と対向する側面をＬＣＤ収容部９１１に近づけるようにＬＣＤ９３を回転させてＬＣＤ収容部９１１内に収容し、これと同時に、上記他側面９３Ｋ１と対向する側面に延設されたＦＰＣ９３Ｐを図示しないコネクタに接続するので、ＬＣＤ９３を回転させながらの収容とＦＰＣ９３Ｐの接続との同時作業が必要となり組立が困難であるという問題があった。特に、ＬＣＤ９３に、ＦＰＣでなく直角に折り曲げられた端子金具が設けられていた場合（即ち、パッケージ形状がライトアングル端子金具を備えたＳＩＰ（Ｓｉｎｇｌｅ  Ｉｎｌｉｎｅ  Ｐａｃｋａｇｅ）の場合）、当該端子金具をコネクタに嵌め込むためには、端子金具の先端をコネクタに向けて垂直に近づける必要があるところ、上述した構成では、端子金具の先端が円弧状の軌道を描いてコネクタに近づくので、当該端子金具をコネクタに嵌め込むことがさらに困難であった。または、上述したコンビネーションメータ９１０において、庇状のＺ方向規制突設部９１Ｆを設けない構成も考えられるが、Ｚ方向、即ち、ＬＣＤ９３の前後方向の移動の規制が不十分になり、つまり、前後方向のガタツキを十分に防止することができなかった。
【０００９】
本発明は、上記課題に係る問題を解決することを目的としている。即ち、本発明は、前後方向のガタツキを十分に防止できる組立が容易な表示パネル装置の固定構造を提供することを目的としている。
【課題を解決するための手段】
【００１０】
請求項１に記載された発明は、上記目的を達成するために、一縁部に端子部が設けられた矩形板状の表示パネル装置を基板の前面側に配置されたケースに固定する構造であって、前記ケースの前面に設けられた、前記表示パネル装置がその前面を露出して収容される、収容部と、前記収容部に収容された前記表示パネル装置の後面を当該後面に垂直な方向に押圧する後面押圧部と、前記表示パネル装置が前記収容部に収容された後に、前記表示パネル装置の前面に当接するようにして前記ケースに係止する前面押さえ部材と、を有していることを特徴とする表示パネル装置の固定構造である。
【００１１】
請求項２に記載された発明は、請求項１に記載された発明において、前記前面押さえ部材が、折り曲げ可能な連結部材を介して前記ケースに連結されていることを特徴とするものである。
【００１２】
請求項３に記載された発明は、請求項１又は２に記載された発明において、前記ケースが、前記収容部に隣接して前記ケースの前面から後方に向けて延在して設けられた角柱状の係止受部を有し、前記前面押さえ部材が、帯板状の基部と、該基部の両端部から立設された一対の腕部と、該一対の腕部の先端部分に互いに向き合うように内側に突設された一対の爪部と、を有する、前記係止受部を前記ケースの前面側から抱え込むようにして該係止受部に係止する、係止部と、前記基部における前記一対の腕部間の縁部から前記基部に平行に延在して設けられた、前記表示パネル装置の前面に当接する、押さえ片部と、を有している、ことを特徴とするものである。
【００１３】
請求項４に記載された発明は、請求項３に記載された発明において、前記係止部の前記基部には、前記一対の爪部と対向する箇所に一対の貫通孔が設けられていることを特徴とするものである。
【発明の効果】
【００１４】
請求項１に記載された発明によれば、ケースの前面に設けられた、表示パネル装置がその前面を露出して収容される、収容部と、この収容部に収容された表示パネル装置の後面を当該後面に垂直な方向に押圧する後面押圧部と、表示パネル装置が収容部に収容された後に、表示パネル装置の前面に当接するようにしてケースに係止する前面押さえ部材と、を有しているので、表示パネル装置を、上記他縁部を支点に回転させることなく、収容部に垂直に近づけるように移動して当該収容部に収容でき、その後、前面押さえ部材を表示パネル装置に当接するようにしてケースに係止することにより、表示パネル装置を後面押圧部によって前面押さえ部材に押しつけて、前後方向の移動を規制することができ、そのため、容易に組み立てることができるとともに前後方向のガタツキを十分に防止できる。
【００１５】
請求項２に記載された発明によれば、前面押さえ部材が、折り曲げ可能な連結部材を介してケースに連結されているので、組立時に、前面押さえ部材がそれを係止するケース近くにあり、連結部材を折り曲げるなどして前面押さえ部材をケースに係止することができ、そのため、さらに容易に組み立てることができる。
【００１６】
請求項３に記載された発明によれば、ケースが、収容部に隣接して当該ケースの前面から後方に向けて延在して設けられた角柱状の係止受部を有し、前面押さえ部材が、帯板状の基部と、該基部の両端部から立設された一対の腕部と、該一対の腕部の先端部分に互いに向き合うように内側に突設された一対の爪部と、を有する、上記係止受部をケースの前面側から抱え込むようにして該係止受部に係止する、係止部と、この係止部の基部における一対の腕部間の縁部から当該基部に平行に延在して設けられた、表示パネル装置の前面に当接する、押さえ片部と、を有しているので、係止受部が角柱状であり、前面押さえ部材がコ字状の係止部と該係止部に延在する押さえ片部とを有する形状であり、そのため、簡易な形状で構成することができる。また、係止受部と係止部とがこのような形状であることから、係止部を、そのコ字状の内側に係止受部を抱え込むように、ケースの前面側から近づけて係止受部に係止させることができ、容易に組み立てることができる。また、係止受部がケースの前面から後方に向けて延在して設けられているので、係止部の一対の腕部の長さを確保することができ、当該一対の腕部における弾性を確保することができる。
【００１７】
請求項４に記載された発明によれば、係止部の基部には、一対の爪部と対向する箇所に一対の貫通孔が設けられているので、この一対の貫通孔に棒状の工具を挿入して一対の爪部を押すことによって、一対の腕部を互いに離れる方向に撓ませることができ、そのため、係止部と係止受部との係止を容易に解除することができ、つまり、前面押さえ部材をケースから容易に取り外すことができる。
【図面の簡単な説明】
【００１８】
【図１】本発明の表示パネル装置の固定構造の一実施例を有するコンビネーションメータの正面図である。
【図２】図１のＫ−Ｋ線に沿う断面図である。
【図３】図１のコンビネーションメータの組立途中における斜視図である。
【図４】従来のＬＣＤ固定構造を説明する分解立体図である。
【発明を実施するための形態】
【００１９】
以下、本発明の表示パネル装置の固定構造を有するコンビネーションメータの一実施形態を、図１〜図３を参照して説明する。コンビネーションメータ（図中、符号１で示す）は、車両速度を表示する速度メータ１１と、この速度メータ１１に埋め込まれた走行距離を表示する走行距離計１２と、を有している。
【００２０】
コンビネーションメータ１は、各図に示すように、見返し板２１と、装飾リング部材２２と、文字板２３と、指針部材２４、表示パネル装置としての液晶ディスプレイ装置（以下、ＬＣＤという）３０と、ケース４０と、前面押さえ部材６０、配線板７０と、図示しない裏カバーと、図示しない表ガラスと、を備えており、これらにより速度メータ１１及び走行距離計１２を構成している。なお、各図において、コンビネーションメータ１の左右方向を矢印Ｘ、上下方向を矢印Ｙ、前後方向を矢印Ｚで示し、各構成部材の位置関係等を説明する。これら矢印Ｘ、矢印Ｙ、矢印Ｚは互いに直交する。
【００２１】
見返し板２１は、遮光性を有する黒色の合成樹脂などからなり、正面形状が略矩形状に形成されている。見返し板２１には、装飾リング部材２２及び文字板２３が内側に配置される開口２１ａが設けられている。装飾リング部材２２は、例えば、表面にメッキ処理などが施された合成樹脂などからなり、その外形が見返し板２１に設けられた開口２１ａと略同一に形成された環状の部材である。
【００２２】
文字板２３は、例えば、合成樹脂などを用いて略円板状に形成された部材である。文字板２３は、装飾リング部材２２とともに、見返し板２１に設けられた開口２１ａの内側に配置される。文字板２３には、その外縁に沿って配列された数値及び目盛からなる指標２３ａが設けられており、指針部材２４と協働して車両の速度を表示する。文字板２３の中心部分の下方寄りの箇所には後述するＬＣＤ３０の前面３０ａの表示エリアの形状に沿う開口２３ｂが設けられている。
【００２３】
指針部材２４は、平たい円柱状に形成された基部２４ａと、基部２４ａの外周面の法線方向に延びるように連接された棒状の針部２４ｂ、を備えている。指針部材２４は、その基部２４ａの中心が、図示しない回動内機の回動軸の先端に固着されており、回動軸の回動に伴って、該回動軸を中心として針部２４ｂが回動される。針部２４ｂは、回動されることにより、文字板２３上に設けられた数値及び目盛などの指標２３ａを指示して、乗員に速度やエンジン回転数などの測定量を示す。
【００２４】
ＬＣＤ３０は、平面視が矩形の平板状に形成されており、情報をデジタル的又はグラフィック的に外部に表示出力する周知の液晶ディスプレイ装置である。本実施形態において、ＬＣＤ３０は、その前面３０ａに設けられた表示エリアに車両の走行距離を示す情報を表示する。ＬＣＤ３０の幅方向に対向する長縁部３０ｃ、３０ｄのうち下方寄りの長縁部３０ｃ（即ち、一縁部）には、複数の端子金具３１ａからなる端子部３１が設けられている。
【００２５】
これら複数の端子金具３１ａは、基端と先端との中ほどが略直角に折り曲げられた帯状に形成されており、基端が上記一方の長縁部３０ｃの前面３０ａ側に取り付けられ、先端がＬＣＤ３０の後面３０ｂ方向（即ち、後面３０ｂの法線方向）を向くように配設されている。つまり、ＬＣＤ３０は、パッケージ形状がライトアングル端子金具を備えたＳＩＰとなるように構成されている。図１のＬＣＤ３０は、表示エリアに全ての表示パターンを表示させた状態を示している。
【００２６】
なお、本実施形態では、表示パネル装置としてＬＣＤ３０を用いているが、本発明はこれに限定されるものではなく、例えば、有機ＥＬディスプレイ装置など、一縁部に端子部を備えた矩形板状の表示パネル装置であれば、その種類は任意である。また、端子部についても、例えば、周知のＦＰＣで構成されているなど、端子金具以外で構成されていてもよい。
【００２７】
ケース４０は、例えば、合成樹脂などを用いて正面形状が見返し板２１の外形と略同一の箱形に形成された部材である。ケース４０は、ＬＣＤ３０を収容する収容部４１と、後述する前面押さえ部材６０に係止される複数の係止受部５１と、ＬＣＤ３０を収容部４１に固定する複数の固定爪部５３と、ＬＣＤ３０の後面３０ｂを該後面３０ｂに垂直な方向に押圧する複数の後面押圧部５６と、を備えている。
【００２８】
収容部４１は、ケース４０の前面４０ａと後面４０ｂとを貫通するとともに、その断面形状が矩形状で且つ該断面形状が前面４０ａから後面４０ｂに向かうにしたがって徐々に小さくなる角筒状に形成されている。収容部４１の前面４０ａ側の前開口４１ａは、その内側にＬＣＤ３０の端子部３１を除いたパネル部分を収容可能なように、該パネル部分の平面視形状と略同一に形成されている。
【００２９】
収容部４１の上下方向（矢印Ｙ方向）に相対する壁部４３ａ、４３ｂの内側で前開口４１ａ近傍の箇所には、ＬＣＤ３０の長縁部３０ｃ、３０ｄの後面３０ｂ側が当接される段部４４が設けられている。収容部４１の左右方向（矢印Ｘ方向）に相対する壁部４３ｃ、４３ｄの内側で前開口４１ａ近傍の箇所には、互いに向き合うように突設された一対の左右位置決めリブ４５が設けられている。一つの左右位置決めリブ４５は、互いの間隔がＬＣＤ３０の全長（長手方向の長さ）と略同一にされている。
【００３０】
収容部４１にＬＣＤ３０が収容されると、ＬＣＤ３０の幅方向に対向する端面３０ｅ、３０ｆが、収容部４１の壁部４３ａ、４３ｂの内面で前開口４１ａ近傍の箇所に当接し、ＬＣＤ３０の全長方向（長手方向）に対向する端面３０ｇ、３０ｈが、左右位置決めリブ４５に当接し、ＬＣＤ３０の長縁部３０ｃ、３０ｄの後面３０ｂ側が、収容部４１の段部４４に当接して、ＬＣＤ３０がその前面３０ａを露出するように収容部４１内に位置決めされる。
【００３１】
収容部４１の後面４０ｂ側の後開口４１ｂの近傍には、収容部４１の壁部４３ａ、４３ｂと間隔をあけて且つ収容部４１の壁部４３ｃ、４３ｄの間に亘って、後開口４１ｂの開口面と平行に配された平板状の遮光部４２が設けられている。遮光部４２は、後述する配線板７０に設けられた光源７１と間隔をあけて対向するように設けられており、後開口４１ｂから収容部４１に入光した光が直接ＬＣＤ３０の後面３０ｂを照らさないように規制する。
【００３２】
係止受部５１は、収容部４１の上方寄りの壁部４３ａの外面に（即ち、収容部４１に隣接して）、ケース４０の前面４０ａから後面４０ｂ（即ち、後方）に向けて延在するように設けられた角柱状の部位である。係止受部５１の前面５１ａの中央には、後述する前面押さえ部材６０が備える位置決めボス６５が挿入される位置決め穴５２が設けられている。係止受部５１は、左右方向（矢印Ｘ方向）に間隔をあけて２つ設けられている。
【００３３】
固定爪部５３は、Ｕ字状に形成され、その一端及び他端が近づいたり離れたりするように弾性変形可能な本体部５４と、本体部５４の一端５４ａに外側に向けて突設されたくさび爪５５と、を備えている。本体部５４の一端５４ａは、該一端５４ａに設けられたくさび爪５５の傾斜面５５ａが前方を向くように且つ該傾斜面５５ａと鋭角をなすくさび爪５５の平面５５ｂが後方を向いて収容部４１の下方寄りの壁部４３ｂの前面（即ち、ケース４０の前面４０ａ）との間でＬＣＤ３０の長縁部３０ｃを狭持するように、収容部４１の前開口４１ａの近傍に配置されている。また、本体部５４の他端５４ｂは、本体部５４が弾性変形したときにくさび爪５５が収容部４１に対して上下方向（矢印Ｙ方向）に近づいたり離れたりするように、ケース４０に一体に取り付けられている。固定爪部５３は、互いの間にＬＣＤ３０の端子部３１が配置可能なように左右方向（矢印Ｘ方向）に間隔をあけて２つ設けられている。
【００３４】
後面押圧部５６は、収容部４１の前開口４１ａの開口面と平行に配された帯状の弾性部５７と、弾性部５７の先端５７ａに前方に向けて突設された片部５８と、を備えている。弾性部５７の基端５７ｂは、収容部４１の下方寄りの壁部４３ｂの内面で前開口４１ａ近傍の箇所に一体に取り付けられている。弾性部５７の先端５７ａは、収容部４１の前開口４１ａの内側で上方寄りの壁部４３ａに近い箇所に配置されている。そして、後面押圧部５６は、収容部４１にＬＣＤ３０が収容されたとき、片部５８の先端５８ａがＬＣＤ３０の後面３０ｂに当接して、片部５８が後方（ケース４０の後面４０ｂ寄り）に向けて押されることにより、弾性部５７が弾性変形して、その弾性力によって、ＬＣＤ３０の後面３０ｂを該後面３０ｂに垂直な方向（矢印Ｚ方向）に押圧する。後面押圧部５６は、左右方向（矢印Ｘ方向）に間隔をあけて２つ設けられている。
【００３５】
前面押さえ部材６０は、係止受部５１に係止する係止部６１と、ＬＣＤ３０の長縁部３０ｄの前面３０ａ側に当接される押さえ片部６６と、係止部６１を係止受部５１に連結する連結部材６７と、を備えている。
【００３６】
係止部６１は、帯板状の基部６２と、該基部６２の長手方向両端部から同一方向に向けて垂直且つ互いに平行に立設された一対の腕部６３と、該一対の腕部６３の先端部分に互いに向き合うように内側に突設された一対の爪部６４と、を備えている。つまり、係止部６１は、略コ字状に形成されている。また、前記基部６２の中央部分には、前記一対の腕部６３と平行に突設された円柱状の位置決めボス６５が設けられており、基部６２の前記一対の爪部６４と対向する箇所には、一対の貫通孔６２ａが設けられている。
【００３７】
押さえ片部６６は、係止部６１の基部６２における一対の腕部６３間の一縁部から前記基部６２に平行に延在して設けられており、基部６２とは反対側の先端部分が前記一対の腕部６３と同一方向に向けて折り曲げられている。
【００３８】
連結部材６７は、帯状で且つ折り曲げ可能に形成されている。連結部材６７は、係止部６１の基部６２における前記一縁部とは反対側の他縁部と、係止受部５１の前面５１ａにおける収容部４１寄りの一端部とは反対側の他端部と、を一体に連結している。また、連結部材６７は、連結部材６７を真直に伸ばした状態で、係止部６１の一対の腕部６３が係止受部５１の前面５１ａと同一方向を向き（即ち、図３の左寄りの前面押さえ部材６０）、そして、連結部材６７を１８０度折り曲げた状態で、係止部６１がその内側に係止受部５１を抱え込むようにして該係止受部５１に係止する（即ち、図３の右寄りの前面押さえ部材６０）ように、前面押さえ部材６０と係止受部５１とを連結している。なお、連結部材６７を備えず、前面押さえ部材６０が、係止受部５１（即ち、ケース４０）と分離した構成でもよい。
【００３９】
配線板７０は、その前面７０ａ及び裏面７０ｂに各種電子部品が実装されるとともに、これら各種電子部品を互いに電気的に接続する薄膜金属の配線パターンが施された、周知の電子基板である。配線板７０の前面７０ａには、光源７１と、ＬＣＤコネクタ７２と、が設けられているとともに、ケース４０の後面４０ｂが重ねて配置される。
【００４０】
光源７１は、例えば、複数の面実装タイプの発光ダイオードなどからなり、配線板７０の前面７０ａにおける上記収容部４１の後開口４１ｂと相対する箇所に、収容部４１の左右方向（矢印Ｘ方向）に沿って互いに間隔をあけて設けられている。これにより、光源７１が発する光が収容部４１によって導かれてＬＣＤ３０の後面３０ｂを照らす。
【００４１】
ＬＣＤコネクタ７２は、ＬＣＤ３０の端子金具３１ａが接続される周知のＳＩＰソケットである。ＬＣＤコネクタ７２は、ＬＣＤ３０の端子部３１を構成する端子金具３１ａが挿入されることにより、端子金具３１ａを保持するとともに該端子金具３１ａと配線板７０上の配線パターンとを電気的に接続する。
【００４２】
図示しない裏カバーは、例えば、合成樹脂などで構成され、正面形状が上記ケース４０の正面形状と略同一の底壁部と、この底壁部の周縁から立設した側壁部と、を備えた、断面略コ字状の器型に形成されている。裏カバーは、配線板７０の裏面７０ｂを覆うように配設されて、タッピングねじなどの図示しない固定手段によってケース４０に取り付けられる。
【００４３】
図示しない表ガラスは、見返し板２１、装飾リング部材２２、及び、文字板２３をそれぞれ覆うように配設されて、係止爪などの図示しない固定手段によってケース４０に取り付けられる。裏カバー及び表ガラスは、コンビネーションメータ１内に、塵埃などが侵入することを防ぐ。
【００４４】
次に、上述したコンビネーションメータ１の組立方法について説明する。
【００４５】
組立前において、前面押さえ部材６０の連結部材６７は真直に伸びている。まず、光源７１及びＬＣＤコネクタ７２が配設された配線板７０の前面７０ａに、ケース４０の後面４０ｂを重ねて取り付ける。これにより、収容部４１の内側に光源７１が配置される。
【００４６】
次に、ＬＣＤ３０の端子金具３１ａの先端をＬＣＤコネクタ７２に向けて、ＬＣＤ３０を収容部４１に垂直に、即ち、前後方向（矢印Ｚ方向）に沿って徐々に近づけていく。すると、ＬＣＤ３０の長縁部３０ｃの後面３０ｂ側が固定爪部５３のくさび爪５５の傾斜面５５ａに当接して、これによりくさび爪５５が収容部４１から離れるように固定爪部５３が弾性変形する。そして、ＬＣＤ３０がさらに収容部４１に近づくと、弾性変形が復元してくさび爪５５が収容部４１に近づき、くさび爪５５の平面５５ｂと収容部４１の壁部４３ｂの前面（即ち、ケース４０の前面４０ａ）との間にＬＣＤ３０が狭持される。このＬＣＤ３０の狭持と同時に、端子金具３１ａの先端をＬＣＤコネクタ７２に挿入して、端子金具３１ａとＬＣＤコネクタ７２とを接続しつつ、ＬＣＤ３０を収容部４１に収容する。
【００４７】
このように収容部４１に収容されたＬＣＤ３０は、ＬＣＤ３０の幅方向（短手方向）に対向する端面３０ｅ、３０ｆが、収容部４１の壁部４３ａ、４３ｂの内面で前開口４１ａ近傍の箇所に当接して、上下方向（矢印Ｙ方向）の移動を規制され、ＬＣＤ３０の全長方向（長手方向）に対向する端面３０ｇ、３０ｈが、左右位置決めリブ４５に当接して、左右方向（矢印Ｘ方向）の移動を規制される。
【００４８】
それから、前面押さえ部材６０の連結部材６７を１８０度折り曲げて、係止部６１を前面５１ａ側から係止受部５１に近づける。そして、位置決めボス６５を係止受部５１に設けられた位置決め穴５２に挿入しつつ、一対の腕部６３の内側に係止受部５１を抱え込むようさらに後方に進め、一対の爪部６４を係止受部５１の後面５１ｂに引っ掛けて、係止部６１を係止受部５１に係止する。このように係止部６１が係止受部５１に係止すると、押さえ片部６６の先端部分が、ＬＣＤ３０の長縁部３０ｄの前面３０ａ側に当接して、ＬＣＤ３０を収容部４１に向けて押さえ込む。これにより、ＬＣＤ３０の長縁部３０ｃ、３０ｄの後面３０ｂ側が、収容部４１の段部４４に当接して、ＬＣＤ３０がその前面３０ａを露出するように収容部４１内に位置決めされる。
【００４９】
また、このとき、ＬＣＤ３０は、その後面３０ｂに後面押圧部５６（即ち、片部５８）が当接して、この当接により弾性変形した後面押圧部５６の弾性力によって、後面３０ｂに垂直な方向、即ち、後面３０ｂから前面３０ａに向かう方向（前方）に押圧される。これにより、ＬＣＤ３０は、後面押圧部５６によって押さえ片部６６押しつけられて、前後方向（矢印Ｚ方向）の移動を規制される。
【００５０】
そして、文字板２３、装飾リング部材２２及び見返し板２１を順次ケース４０重ねて取り付けるとともに、回動内機の回動軸の先端に指針部材２４を固定し、最後に、裏カバー及び表ガラスをケース４０に取り付けて、コンビネーションメータ１が完成する。
【００５１】
また、ＬＣＤ３０の収容部４１からの取り外しは、例えば、図３に示す細棒状の金属をコ字状に折り曲げた挿入部Ｔｓを備えた取り外し工具Ｔを用いて行う。ケース４０の前方に取り付けられる文字板２３などの部材を取り外した状態で、まず、該取り外し工具Ｔの挿入部Ｔｓを、前面押さえ部材６０の基部６２に設けられた一対の貫通孔６２ａに挿入して、係止受部５１と一対の腕部６３との隙間を通して後方に向けて押し込む。すると、係止部６１の一対の爪部６４が挿入部Ｔｓの先端によって押されて、一対の腕部６３が互いに離れる方向に撓むように弾性変形し、係止部６１と係止受部５１との係止が解除されて、前面押さえ部材６０がケース４０から外れる。そして、固定爪部５３を、収容部４１から離れる方向に弾性変形させると同時に、ＬＣＤ３０を収容部４１から垂直に引き抜いて、ケース４０から取り外す。
【００５２】
以上より、本発明によれば、ケース４０の前面４０ａに設けられた、ＬＣＤ３０がその前面３０ａを露出して収容される、収容部４１と、この収容部４１に収容されたＬＣＤ３０の後面３０ｂを当該後面３０ｂに垂直な方向に押圧する後面押圧部５６と、ＬＣＤ３０が収容部４１に収容された後に、ＬＣＤ３０の前面３０ａに当接するようにしてケース４０に設けられた係止受部５１に係止する前面押さえ部材６０と、を有しているので、ＬＣＤ３０を、その長縁部を支点にして回転させることなく、収容部４１に垂直に近づけるように移動して当該収容部４１に収容でき、その後、前面押さえ部材６０をＬＣＤ３０に当接するようにして係止受部５１（即ち、ケース４０）に係止することにより、ＬＣＤ３０を後面押圧部５６によって前面押さえ部材６０に押しつけて、前後方向の移動を規制することができ、そのため、容易に組み立てることができるとともに前後方向のガタツキを十分に防止できる。
【００５３】
また、前面押さえ部材６０が、折り曲げ可能な連結部材６７を介して係止受部５１に連結されているので、組立時に、前面押さえ部材６０がそれを係止する係止受部５１の近くにあり、連結部材６７を折り曲げて前面押さえ部材６０を係止受部５１に係止することができ、そのため、さらに容易に組み立てることができる。
【００５４】
また、ケース４０が、収容部４１に隣接して当該ケース４０の前面４０ａから後面４０ｂに向けて延在して設けられた角柱状の係止受部５１を有し、前面押さえ部材６０が、帯板状の基部６２と、該基部６２の両端部から立設された一対の腕部６３と、該一対の腕部６３の先端部分に互いに向き合うように内側に突設された一対の爪部６４と、を有する、上記係止受部５１をその前面５１ａ側から抱え込むように係止する、係止部６１と、この係止部６１の基部６２における一対の腕部６３間の縁部から当該基部６２に平行に延在して設けられた、ＬＣＤ３０の前面３０ａに当接する、押さえ片部６６と、を有しているので、係止受部５１が角柱状であり、前面押さえ部材６０がコ字状の係止部６１と該係止部６１に延在する押さえ片部６６とを有する形状であり、そのため、簡易な形状で構成することができる。また、係止受部５１と係止部６１とがこのような形状であることから、係止部６１を、そのコ字状の内側に係止受部５１を抱え込むように、係止受部５１の前面５１ａ側から近づけて係止受部５１に係止させることができ、容易に組み立てることができる。また、係止受部５１がケース４０の前面４０ａから後面４０ｂに向けて延在して設けられているので、係止部６１の一対の腕部６３の長さを確保することができ、当該一対の腕部６３における弾性を確保することができる。
【００５５】
また、係止部６１の基部６２には、一対の爪部６４と対向する箇所に一対の貫通孔６２ａが設けられているので、この一対の貫通孔６２ａに棒状の工具を挿入して一対の爪部６４を押すことによって、一対の腕部６３を互いに離れる方向に撓ませることができ、そのため、係止部６１と係止受部５１との係止を容易に解除することができ、つまり、前面押さえ部材６０をケース４０から容易に取り外すことができる。
【００５６】
本実施形態において、ケース４０には、固定爪部５３が設けられていたが、本発明はこれに限定するものではなく、このような固定爪部５３に代えて、係止受部５１と前面押さえ部材６０との組を設けてもよい。
【００５７】
また、一度取り付けた前面押さえ部材６０を取り外す必要がない場合等は、前面押さえ部材６０の係止部６１の基部６２に貫通孔６２ａを設けない構成でもよい。
【００５８】
また、上述した係止受部５１及び前面押さえ部材６０の形状は一例であって、本発明の目的に反しない限り、ＬＣＤ３０が収容部４１に収容された後に、ＬＣＤ３０の前面３０ａに当接するようにしてケースに係止する前面押さえ部材であれば、それら形状は任意である。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６０】
１      コンビネーションメータ
１１    速度メータ
１２    走行距離計
３０    ＬＣＤ（表示パネル装置）
３１    端子部
４０    ケース
４１    収容部
５１    係止受部
５２    位置決め穴
５６    後面押圧部
６０    前面押さえ部材
６１    係止部
６２    基部
６２ａ  一対の貫通孔
６３    一対の腕部
６４    一対の爪部
６６    押さえ片部
６７    連結部材
【図１】
0005511566.tif 000002
【図２】
0005511566.tif 000003
【図３】
0005511566.tif 000004
【図４】
0005511566.tif 000005